【手続補正書】
【提出日】平成16年12月14日(2004.12.14)
【手続補正１】
【補正対象書類名】明細書
【補正対象項目名】特許請求の範囲
【補正方法】変更
【補正の内容】
【特許請求の範囲】
【請求項１】
コンピュータ・システム用のバックプレーンであって、拡張カード用の少なくとも１つの多接点コネクタと、該コネクタの所定の接点に接続するための少なくとも１本のバス・ラインと、該バス・ラインを前記所定の接点に接続するゲートと、該ゲートにゲート信号を供給するゲート信号ラインと、を有することを特徴とするバックプレーン。
【請求項２】
請求項１記載のバックプレーンにおいて、動的サイクル・スイッチングを可能にするため、複数のコネクタの各々に少なくとも１本のゲート信号ラインをそれぞれ設けること、を特徴とするバックプレーン。
【請求項３】
請求項１記載のバックプレーンにおいて、前記バスは、１つの前記コネクタの各データ接点に接続するための少なくとも複数のデータ・ラインを含み、各前記データ・ラインと前記コネクタの各前記接点との間にトランスミッション・ゲートをそれぞれ設けたこと、を特徴とするバックプレーン。
【請求項４】
請求項３記載のバックプレーンにおいて、複数のコネクタの各々にゲート信号ラインをそれぞれ設け、１つの前記コネクタの各トランスミッション・ゲートに並列に前記ゲート信号を供給すること、を特徴とするバックプレーン。
【請求項５】
請求項３記載のバックプレーンにおいて、各コネクタに複数のゲート信号ラインを設け、これにより、１つのコネクタの異なった接点のトランスミッション・ゲートを独立してゲート動作可能とすること、を特徴とするバックプレーン。
【請求項６】
請求項３記載のバックプレーンであって、前記コネクタの電力接点に接続するための少なくとも１本の電力ラインと、該電力ラインと１つの前記コネクタの電力接点との間に接続したスイッチ・ゲートと、前記スイッチ・ゲートを制御する電力制御信号を供給するための電力信号ラインと、を含むことを特徴とするバックプレーン。
【請求項７】
請求項３記載のバックプレーンであって、１つの前記コネクタのバス要求接点に接続した少なくとも１本のバス要求ラインと、前記バス要求コネクタから前記バス要求ラインに前記バス要求信号を選択的に通過させるためのバス要求ゲートと、を含むことを特徴とするバックプレーン。
【請求項８】
請求項６記載のバックプレーンにおいて、前記バス要求ゲートは、使用時に、前記コネクタに接続したカードに電力を供給してから所定の遅延の後にのみ、バス要求信号を通過させるように動作可能であること、を特徴とするバックプレーン。
【請求項９】
請求項１記載のバックプレーンにおいて、前記ゲート信号ラインは各コネクタに共通のストローブ・ラインであり、該ストローブ・ラインは、使用時に、前記コネクタに対する放射アドレス信号ライン上の放射アドレス信号がアクティブのときに、前記ゲート・ラインとしてアクティブとなること、を特徴とするバックプレーン。
【請求項１０】
拡張カードをコンピュータ・バックプレーンに接続するための多接点コネクタであって、該コネクタは、前記バックプレーン上のラインに接続するためのコネクタ・ピンと挿入される拡張カード上の対応する接点に接続するための接点との間に整列して電気的に接続したゲートを備えており、該ゲートのゲート信号入力は、ゲート信号ラインに接続するためのコネクタ・ピンに電気的に接続したこと、を特徴とする多接点コネクタ。
【請求項１１】
請求項１０記載のコネクタであって、複数のトランスミッション・ゲートを含み、各ゲートは、前記バックプレーン上のラインに接続するための各コネクタ・ピンと、挿入される拡張カード上の対応する接点に接続するための各接点と、の間に整列して電気的に接続したこと、を特徴とするコネクタ。
【請求項１２】
請求項１１記載のコネクタにおいて、前記トランスミッション・ゲートの各々に対する各ゲート信号入力は、ゲート信号ラインに接続するための共通コネクタ・ピンに電気的に接続したこと、を特徴とするコネクタ。
【請求項１３】
請求項１１記載のコネクタにおいて、前記トランスミッション・ゲートの各々に対する各ゲート信号入力は、各ゲート信号ラインに接続するための別個のコネクタ・ピンに電気的に接続したこと、を特徴とするコネクタ。
【請求項１４】
請求項１０記載のコネクタであって、さらに、前記バックプレーン上の電力ラインに接続するためのコネクタ・ピンと、挿入される拡張カード上の対応する電力接点に接続するための接点との間に整列して電気的に接続したスイッチを含み、該スイッチ・ゲートの制御入力は、電力信号ラインに接続するためのコネクタ・ピンに電気的に接続したこと、を特徴とするコネクタ。
【請求項１５】
コンピュータ・システムであって、バックプレーンと、拡張カードのための前記バックプレーン上の少なくとも１つの多接点コネクタと、該コネクタの所定の接点に接続するための前記バックプレーン上の少なくとも１本のバス・ラインと、該バス・ラインを前記所定の接点に接続するゲートと、ゲート信号を前記トランスミッション・ゲートに供給するゲート信号ラインと、データ伝送のために前記バス・ラインに接続しまた前記ゲートに対するゲート信号を供給するために前記ゲート信号ラインに接続したバス・コントローラと、を備えたコンピュータ・システム。
【請求項１６】
請求項１５記載のシステムにおいて、複数のコネクタの各々にゲート信号ラインをそれぞれ設け、前記バス・コントローラは、動的サイクル・スイッチングを行うため、所与のバス・サイクルの間１つの前記コネクタの前記トランスミッション・ゲートをイネーブルするゲート信号を選択的に供給すること、を特徴とするシステム。
【請求項１７】
請求項１５記載のシステムにおいて、前記バスは、１つの前記コネクタの各データ接点に接続するための少なくとも複数のデータ・ラインを含み、各該データ・ラインと前記コネクタの対応する接点との間にトランスミッション・ゲートをそれぞれ設けたこと、を特徴とするシステム。
【請求項１８】
請求項１７記載のシステムにおいて、複数のコネクタの各々にゲート信号ラインをそれぞれ設け、前記バス・コントローラは、所与のバス・サイクルの間たった１つのコネクタの各トランスミッション・ゲートに対し、前記所与のバス・サイクルの間前記コネクタの前記トランスミッション・ゲートをイネーブルするため、並列にゲート信号を選択的に供給すること、を特徴とするシステム。
【請求項１９】
請求項１７記載のシステムにおいて、複数のコネクタの各々に複数のゲート信号ラインをそれぞれ設け、前記バス・コントローラは、所与のバス・サイクルの間たった１つのコネクタの各トランスミッション・ゲートに対し、前記所与のバス・サイクルの間前記コネクタの前記トランスミッション・ゲートをイネーブルするため、ゲート信号を適切なタイミングで選択的に供給すること、を特徴とするシステム。
【請求項２０】
請求項１６記載のシステムであって、前記コネクタの電力接点に接続するための少なくとも１本の電力ラインと、該電力ラインと１つの前記コネクタの電力接点との間に接続したスイッチ・ゲートと、前記コネクタの前記スイッチ・ゲートを制御する電力制御信号を供給する電力信号ラインとを含み、前記バス・コントローラは、前記コネクタにカードの挿入を完了したときに、前記電力制御信号ライン上に電力制御信号を選択的に印加すること、を特徴とするシステム。
【請求項２１】
請求項１６記載のシステムであって、１つの前記コネクタのバス要求接点に接続した少なくとも１本のバス要求ラインと、前記バス要求接点から前記バス要求信号を選択的に通過させるためのバス要求ゲートと、を備えていることを特徴とするシステム。
【請求項２２】
請求項２１記載のシステムにおいて、前記バス要求ゲートは、使用時に、前記コネクタに接続したカードに電力を供給してから所定の遅延の後にのみ、バス要求信号を通過させるように動作可能であること、を特徴とするシステム。
【請求項２３】
請求項１５記載のシステムにおいて、前記ゲート信号ラインは、各コネクタに共通のストローブ・ラインであり、該ストローブ・ラインは、使用時に、前記コネクタに対する放射アドレス信号ライン上の放射アドレス信号がアクティブのときに、前記ゲート・ラインとして、アクティブになること、を特徴とするシステム。
【請求項２４】
請求項１５記載のシステムにおいて、前記バス・コントローラは、各カードに対するアドレス信号の地理的デコーディングを行うアドレス・デコーダを備えており、これによって、前記バス・コントローラは、任意のバス・サイクルに対する応答のソースを、該バス・サイクルが開始する前に予め判定可能であること、を特徴とするシステム。
【請求項２５】
請求項２４記載のシステムであって、アドレス信号の地理的アドレシングを有するＰＣＩバスを備えていること、を特徴とするシステム。
【請求項２６】
ＰＣＩバスの動作方法であって、バス・アドレス機構のＰＣＩデコーダを構成して、前記バスに接続したカードの地理的アドレシングを提供し、これにより、バス・コントローラは、任意のバス・サイクルに対する応答のソースを、該バス・サイクルが開始する前に予め判定可能であること、を特徴とする方法。
【請求項２７】
拡張カードをコンピュータ・システムのバックプレーンに接続する方法であって、
前記拡張カードのための多接点コネクタに前記拡張カードを挿入するステップと、
続いて、バス・ラインとコネクタ接点との間に設けたゲートを、該ゲートにゲート信号ライン上のゲート信号を供給することによってイネーブルするステップと、
を備えた方法。
【請求項２８】
請求項２７記載の方法において、前記カードを前記多接点コネクタにホット・インサートすること、を特徴とする方法。
【請求項２９】
請求項２７記載の方法において、前記バス・コントローラは、所与のバス・サイクルの間たった１つの前記コネクタの前記トランスミッション・ゲートをイネーブルするゲート信号を選択的に供給し、これにより動的サイクル・スイッチングを行うこと、を特徴とする方法。
【請求項３０】
請求項２９記載の方法であって、前記挿入ステップと前記イネーブルするステップの間に、
前記カードを前記コネクタに挿入を完了したときに、電力ラインと前記コネクタの電力接点との間に接続したスイッチ・ゲートに電力供給信号を供給し、これにより、挿入後にのみ前記カードに電力を供給するステップ、
をさらに含むことを特徴とする方法。
【請求項３１】
請求項３０記載の方法であって、前記電力信号を供給するステップの後に、
前記カードに電力を供給してから所定の遅延の後にのみ、前記コネクタのバス要求接点からバス要求信号を通過させるステップ、
をさらに含むことを特徴とする方法。
【請求項３２】
請求項２７記載の方法において、前記挿入ステップは、前記コンピュータ・システムが動作状態にあるときに形成すること、を特徴とする方法。
【請求項３３】
請求項２７記載の方法であって、バス・コントローラによる地理的アドレシングを、前記コンピュータ・システムに接続したカードに適用するステップを含み、これにより、前記バス・コントローラは、任意のバス・サイクルに対する応答のソースを、該バス・サイクルが開始する前に予め判定可能であること、を特徴とする方法。